(57)【要約】【課題】固定用部材や専用の取り付け用治具を用いることなく、本体シャーシに駆動モータを容易に取り付けることができるディスク装置を提供する。【解決手段】ディスク装置が、駆動モータと、本体シャーシと、取り付け部と、を備える。駆動モータには、回転軸部が突出する前面とは反対側の後面の縁部に凹部が形成されている。この駆動モータを収容する本体シャーシには取り付け部が設けられる。取り付け部は、少なくとも駆動モータの凹部を係止する。【選択図】図６
2014044779.tif 000002
【特許請求の範囲】
【請求項１】
回転軸部が突出する前面とは反対側の後面の縁部に凹部が形成されている駆動モータと、
前記駆動モータを収容する本体シャーシと、
前記本体シャーシに設けられ、少なくとも前記駆動モータの前記凹部を係止する取り付け部と、
を備えることを特徴とするディスク装置。
【請求項２】
前記凹部及び前記取り付け部は複数であることを特徴とする請求項１に記載のディスク装置。
【請求項３】
前記駆動モータの後面には凸部がさらに形成されており、
前記後面の略法線方向において、前記後面に対する前記凹部を係止する前記取り付け部の高さは、前記凸部の高さ以下であることを特徴とする請求項１又は請求項２に記載のディスク装置。
【請求項４】
前記駆動モータの前記前面には穴部が形成されており、
前記本体シャーシに、前記穴部に嵌合される突起部が形成されることを特徴とする請求項１〜請求項３のいずれかに記載のディスク装置。
【請求項５】
前記駆動モータの前記前面には、前記回転軸部を中心とする略同心円状の一部領域が隆起してなる首部が形成されており、
前記駆動モータの前記首部が嵌合される開口が前記本体シャーシに形成されることを特徴とする請求項１〜４のいずれかに記載のディスク装置。
【発明の詳細な説明】
【技術分野】
【０００１】
本発明は、ディスク装置の本体シャーシに対する駆動モータの取り付けに関する。
【背景技術】
【０００２】
映像、音声又は情報を記録するディスク記録媒体として、ＣＤ（Compact Disc）、ＤＶＤ（Digital Versatile Disc）、ＢＤ（Blu-ray disc）等が知られている。これらのディスク記録媒体を用いるディスク装置では、ディスク記録媒体の記録面に対して光ヘッドよりレーザ光を照射し、データの記録を行う。また、ディスク記録媒体の記録面で反射してきた光を検出することで、データの読出しを行っている。
【０００３】
一般的なディスク装置では、ディスク記録媒体はディスクトレイにより装置内に搬送及び装置外に排出される。このディスクトレイに駆動力を伝達する駆動モータは、ディスク装置のディスクローダーユニットの本体シャーシに取り付けられている。
【０００４】
この駆動モータは、たとえば特許文献１や特許文献２のように、様々な手法で本体シャーシに取り付けられる。たとえば、特許文献１は、本体シャーシに形成されたネジ孔にネジを螺合することにより、駆動モータを本体シャーシに取り付けることを開示している。また、特許文献２は、駆動モータを収容するハウジングに駆動モータ支持板が取り付けられ、この駆動モータ支持板が溶接やかしめにより駆動モータ本体の後面に固着されることを開示している。
【先行技術文献】
【特許文献】
【０００５】
【特許文献１】特開２００３−３６６６５号公報
【特許文献２】特開２０１１−２５９５４０号公報
【発明の概要】
【発明が解決しようとする課題】
【０００６】
しかしながら、特許文献１のように、ネジの螺合により駆動モータを本体シャーシに取り付ける場合、固定用のネジが必要であり、駆動モータの取り付け工程においてネジの螺合をする必要がある。さらに、種類の異なる駆動モータ毎に、本体シャーシに対して駆動モータの位置決めをするための専用の組み立て用治具も必要となる。また、特許文献２では、駆動モータ支持板を設けたり、溶接やかしめにより駆動モータを取り付けたりする必要がある。そのため、特許文献１や特許文献２では、製造コストが増大し、駆動モータの取り付け工程が煩雑となる。
【０００７】
本発明はこのような状況を鑑みてなされたものであり、固定用部材や専用の取り付け用治具を用いることなく、本体シャーシに駆動モータを容易に取り付けることができるディスク装置を提供することを目的とする。
【課題を解決するための手段】
【０００８】
上記目的を達成するために、本発明のディスク装置は、回転軸部が突出する前面とは反対側の後面の縁部に凹部が形成されている駆動モータと、前記駆動モータを収容する本体シャーシと、前記本体シャーシに設けられ、少なくとも前記駆動モータの前記凹部を係止する取り付け部と、を備えることを特徴とする。
【０００９】
上記構成によれば、駆動モータの後面の縁部に凹部が形成されている。この後面は、回転軸部が突出する前面とは反対側の面である。本体シャーシに設けられる取り付け部は、少なくとも駆動モータの凹部を係止する。従って、固定用部材や専用の取り付け用治具を用いることなく、本体シャーシに駆動モータを容易に取り付けることができる。
【００１０】
上記構成において、前記凹部及び前記取り付け部は複数であってもよい。
【００１１】
この構成によれば、複数の凹部の各々が複数の取り付け部により係止される。従って、本体シャーシに駆動モータをより確実且つ安定的に保持することができる。
【００１２】
また、上記構成において、前記駆動モータの後面には凸部がさらに形成されており、前記後面の略法線方向において、前記後面に対する前記凹部を係止する前記取り付け部の高さは、前記凸部の高さ以下であってもよい。
【００１３】
この構成によれば、駆動モータ後面の略法線方向において、後面に対する取り付け部の高さが、駆動モータの後面に形成される凸部の高さ以下である。そのため、取り付け部が凹部を係止するための更なる隙間空間を駆動モータの後面側に確保する必要がない。よって、取り付け部が凹部を係止しても、ディスク装置の内部で、駆動モータが本体シャーシに取り付けられる部分が占める空間をより広くする必要がない。従って、ディスク装置の薄型化に貢献することができる。
【００１４】
また、上記構成において、前記駆動モータの前記前面には穴部が形成されており、前記本体シャーシに、前記穴部に嵌合される突起部が形成されてもよい。
【００１５】
この構成によれば、本体シャーシに形成される突起部が、駆動モータの前面に形成されている穴部に嵌合される。従って、本体シャーシに取り付けられた駆動モータの本体シャーシに対する回動を防ぐことができる。
【００１６】
また、上記構成において、前記駆動モータの前記前面には、前記回転軸部を中心とする略同心円状の一部領域が隆起してなる首部が形成されており、前記駆動モータの前記首部が嵌合される開口が前記本体シャーシに形成されてもよい。
【００１７】
この構成によれば、駆動モータの前面には、回転軸部を中心とする略同心円状の首部が形成されている。この首部は本体シャーシに形成される開口に嵌合される。そのため、開口に首部を嵌合することにより、本体シャーシに対する駆動モータの取り付け位置をより容易に決定することができる。
【発明の効果】
【００１８】
本発明によれば、固定用部材や専用の取り付け用治具を用いることなく、本体シャーシに駆動モータを容易に取り付けることができるディスク装置を提供することができる。
【図面の簡単な説明】
【００１９】
【図１】本実施形態に係るディスク装置の斜視図である。
【図２】本実施形態に係るディスク装置のディスクローダーユニットをその上方から見た透視図である。
【図３】第１実施形態に係る駆動モータの前面側を示す斜視図である。
【図４】第１実施形態に係る駆動モータの後面側を示す斜視図である。
【図５】第１実施形態に係るローダーシャーシの一部を示す部分斜視図である。
【図６】第１実施形態において駆動モータがローダーシャーシに取り付けられた状態を示す斜視図である。
【図７】第１実施形態に係る駆動モータの取り付け構造を示す上面図である。
【図８】第１実施形態に係る駆動モータの取り付け構造を示す断面図である。
【図９】第２実施形態に係る駆動モータの前面側を示す斜視図である。
【図１０】第２実施形態に係るローダーシャーシの一部を示す部分斜視図である。
【図１１】第２実施形態の変形例に係る駆動モータの前面側を示す斜視図である。
【図１２】第２実施形態の他の変形例に係るローダーシャーシの一部を示す部分斜視図である。
【図１３】第３実施形態に係るローダーシャーシの一部を示す部分斜視図である。
【図１４】第３実施形態に係る駆動モータの取り付け構造を示す上面図である。
【図１５】第３実施形態に係る駆動モータの取り付け構造を示す断面図である。
【発明を実施するための形態】
【００２０】
以下に、本発明の実施形態について、図面を参照して説明する。図１は、本実施形態に係るディスク装置の斜視図である。
【００２１】
本実施形態に係るディスク装置Ａは、ディスク記憶媒体Ｂにデータを記録する機能、及び／又は、ディスク記憶媒体Ｂからデータを読み出す機能を有する。ディスク記憶媒体Ｂは特に限定しないが、その例として、たとえば、ＣＤ（Compact Disc）、ＤＶＤ（Digital Versatile Disc）、ＢＤ（Blu-ray  Disc）などの光ディスク記憶媒体を挙げることができる。ディスク記憶媒体Ｂは、ディスク装置Ａのディスクローダーユニット１によって、ディスク装置Ａの内部の所定位置に搬送（ローディング）され、且つ、ディスク装置Ａから排出（アンローディング）される、
【００２２】
図２は、本実施形態に係るディスク装置のディスクローダーユニットをその上方から見た透視図である。ディスク装置Ａのディスクローダーユニット１は、ディスクトレイ２と、トラバースユニット３と、ローダーシャーシユニット４と、を含んで構成される。
【００２３】
ディスクトレイ２は、載置されたディスク記憶媒体Ｂをローディング又はアンローディングするための搬送トレイである。ディスクトレイ２の下面には、その駆動方向に、ガイド溝２１と、トレイラック２２と、が設けられている。ガイド溝２１は、ディスクトレイ２の駆動方向に延びる直線部と、所定の位置で斜めに屈曲する斜行部と、駆動方向と直交するように屈曲する直交部とを含んで構成される。トレイラック２２には、ディスクトレイ２が駆動される方向に並ぶ複数の歯が形成される。この複数の歯は後述するギアトレイ４２の歯と噛み合っている。
【００２４】
トラバースユニット３は、トラバースシャーシ３１と、光ヘッド３２と、レバートリガー（不図示）と、スピンドルモータ（不図示）と、及び駆動力伝達歯車機構３３と、を有する。トラバースシャーシ３１には、光ヘッド３２、レバートリガー、スピンドルモータ、及び駆動力伝達歯車機構３３が取り付けられている。トラバースユニット３及びトラバースシャーシ３１は昇降移動が可能である。ディスク記憶媒体Ｂに対してデータが書き込み又は読み出しされるとき、トラバースユニット３は、上昇してディスク記憶媒体Ｂを挟持（クランプ）する。また、ディスク記憶媒体Ｂが排出される場合には、トラバースユニット３は、下降して、ディスク記憶媒体Ｂがディスクトレイ２に載置された状態にする。
【００２５】
光ヘッド３２は、ディスク記憶媒体Ｂにレーザ光を照射してデータを読出し又は記録する。光ヘッド３２は、トラバースシャーシ３１に設けられたガイド軸に沿って駆動されるように取り付けられている。光ヘッド３２は、後述する駆動モータ４４から駆動力伝達歯車機構３３を介して伝達される駆動力により駆動される。なお、光ヘッド３２の構成は本発明とは趣旨が異なるので、その説明を省略する。
【００２６】
レバートリガーは、ディスクトレイ２の移動方向に対して直行するサイド方向に往復移動するように、トラバースシャーシ３１に取り付けられている。レバートリガーは、光ヘッド３２の移動に応じてサイド方向に移動し、後述するカムスライダー４３を移動させる。スピンドルモータは、ディスク記憶媒体Ｂを回転させるモータである。駆動力伝達歯車機構３３は、ディスクトレイ２、光ヘッド３２、及び、後述するカムスライダー４３を駆動させるための駆動力を駆動モータ４４から伝達する。
【００２７】
次に、ローダーシャーシユニット４について説明する。ローダーシャーシユニット４は、ローダーシャーシ４１、ギアトレイ４２、カムスライダー４３、及び駆動モータ４４を含んで構成される。ローダーシャーシ４１は、前述のトラバースユニット３、ギアトレイ４２、カムスライダー４３、及び駆動モータ４４を収容する本体シャーシである。
【００２８】
ギアトレイ４２は、ディスクトレイ２のトレイラック２２の歯と噛み合う歯車である。ギアトレイ４２は、駆動力伝達歯車機構３３から伝達される駆動力をディスクトレイ２に伝達する。このギアトレイ４２は、ローダーシャーシ４１に回動可能に軸支持される。
【００２９】
カムスライダー４３は、ローダーシャーシ４１の前部にて、ディスクトレイ２の移動方向に対して直交する方向に摺動可能に配置されている。カムスライダー４３の移動に応じて、トラバースシャーシ３１及びトラバースユニット３が昇降移動する。
【００３０】
駆動モータ４４は、ディスクトレイ２、光ヘッド３２、カムスライダー４３、及びトラバースユニット３を駆動させるための動力源となるモータである。この駆動モータ４４はローダーシャーシ４１に取り付けられている。
【００３１】
次に、駆動モータ４４及びその取り付け構造について詳細に説明する。なお、以下では、駆動モータ４４（又は後述するモータ本体４４１）において対向する２つの平面のうち、後述する回転軸部４４２が突出する一方の面を前面ａと呼び、他方の面を後面ｂと呼ぶ。
＜第１実施形態＞
【００３２】
図３〜図８は、第１実施形態に係る駆動モータ４４及びその取り付け構造を説明するための図である。図３は、第１実施形態に係る駆動モータの前面側を示す斜視図である。図４は、第１実施形態に係る駆動モータの後面側を示す斜視図である。図５は、第１実施形態に係るローダーシャーシの一部を示す部分斜視図である。なお、図５では、ローダーシャーシ４１のうち、駆動モータ４４が取り付けられる部分近傍の一部構造のみが描画されている。図６は、第１実施形態において駆動モータがローダーシャーシに取り付けられた状態を示す斜視図である。図７は、第１実施形態に係る駆動モータの取り付け構造を示す上面図である。図８は、第１実施形態に係る駆動モータの取り付け構造を示す断面図である。なお、図８は、図６及び図７における一点鎖線Ｘ−Ｘに沿う断面を示す。
【００３３】
まず、第１実施形態に係る駆動モータ４４について詳細に説明する。駆動モータ４４は、略円柱形状のモータ本体４４１と、回転軸部４４２と、を備える。駆動モータ４４が起動すると、回転軸部４４２は回転駆動される。回転軸部４４２は、モータ本体４４１の前面ａの略中心位置から外部に突出する。
【００３４】
モータ本体４４１の前面ａには、図３に示すように、首部４４３と、６つの穴部４４４と、が形成される。首部４４３は、回転軸部４４２を中心とする略同心円状の一部領域が隆起した部分である。この首部４４３はたとえば略円柱形状又は略円錐台形状をしている。６つの穴部４４４は、ネジを螺合するためのネジ穴である。なお、これらの穴部４４４は、たとえば一般的なモータにおいて通常、駆動モータ４４をネジで固定するためにモータ本体４４１の前面ａに設けられるネジ穴である。各穴部４４４は、モータ本体４４１の前面ａにおいて、回転軸部４４２を中心として同心円状に略等角度の位置に形成される。なお、図３では６つの穴部４４４が形成されているが、穴部４４４は少なくとも１つ形成されていればよい。また、穴部４４４が形成される位置は特に限定はされない。
【００３５】
モータ本体４４１の後面ｂには、図４に示すように、その略中心位置を含む領域に軸受凸部４４５（凸部）が形成される。この軸受凸部４４５は、モータ本体４４１の内部にて回転軸部４４２の軸受部（不図示）を形成するスペースを確保するために設けられている。軸受凸部４４５はたとえば略円柱形状又は略円錐台形状をしている。
【００３６】
また、モータ本体４４１の後面ｂ側では、図４に示すように、後面ｂの縁部（言い換えるとモータ本体４４１の側面ｃの後端）に突出縁部４４６が形成される。この突出縁部４４６は、後面ｂの他の部分よりも後面ｂの略法線方向に突出する略円筒形状の部分である。突出縁部４４６には、４つの凹部４４６ａが形成される。これらの凹部４４６ａは、たとえば一般的なモータにおいて通常、モータ本体４４１の後面ｂ側の突出縁部４４６に設けられるカシメである。各凹部４４６ａは、モータ本体４４１の後面ｂの略中心位置を中心として略等角度の位置に形成される。なお、図４では４つの凹部４４６ａが形成されているが、凹部４４６ａの数や凹部４４６ａが形成される位置は特に限定されない。
【００３７】
次に、駆動モータ４４が取り付けられる部分近傍でのローダーシャーシ４１の一部構造について詳細に説明する。駆動モータ４４が取り付けられる部分近傍では、図５のように、略円筒形状の側壁４１１と、底部４１２と、取り付け部４１３と、がローダーシャーシ４１に形成される。駆動モータ４４がローダーシャーシ４１に取り付けられるとき、駆動モータ４４は、駆動モータ４４の前面ａがモータハウジング部の底部４１２と対向する状態で、側壁４１１の内側に嵌め込まれる。
【００３８】
底部４１２には、略円形の開口４１２ａと、突起部４１２ｂと、が形成される。この開口４１２ａの直径は、駆動モータ４４の首部４４３の底面（前面ａと同じ高さの部分）の直径よりもやや大きくなっている。そのため、ローダーシャーシ４１の側壁４１１に駆動モータ４４が嵌め込まれるとき、この開口４１２ａには駆動モータ４４の前面ａの首部４４３がちょうど合うように嵌め込まれる。突起部４１２ｂは、ローダーシャーシ４１の側壁４１１に駆動モータ４４が嵌め込まれるとき、駆動モータ４４の前面ａのいずれかの穴部４４４に嵌合される。突起部４１２ｂが穴部４４４に嵌合されることにより、ローダーシャーシ４１に対する駆動モータ４４の回動を確実に防ぐことができる。なお、図５では１つの突起部４１２ｂが形成されているが、この突起部４１２ｂの数は特に限定されない。突起部４１２ｂの数は、駆動モータ４４の前面ａの穴部４４４の数以下であればよい。
【００３９】
取り付け部４１３は、駆動モータ４４をローダーシャーシ４１に保持するための保持部材である。取り付け部４１３は、たとえば樹脂材料を用いて、側壁４１１に設けられる。なお、取り付け部４１３は、側壁４１１と一体であってもよいし、一体でなくてもよい。
【００４０】
ローダーシャーシ４１の側壁４１１に駆動モータ４４が嵌め込まれるとき、取り付け部４１３は、スナップフィットして、少なくとも駆動モータ４４の凹部４４６ａを係止する。従って、固定用部材や専用の取り付け用治具を用いることなく、ローダーシャーシ４１に駆動モータ４４を容易に取り付けることができる。なお、図５では２つの取り付け部４１３が側壁４１１に設けられているが、この取り付け部４１３の数は特に限定されない。取り付け部４１３の数は駆動モータ４４の凹部４４６ａの数以下であればよい。
【００４１】
各取り付け部４１３は、弾性ばね部４１３１と、爪部４１３２と、を含んで構成される。弾性ばね部４１３１は、たとえば樹脂部材で形成される樹脂ばねである。爪部４１３２は、弾性ばね部４１３１の先端から、側壁４１１の内側に向かって突出する突片である。駆動モータ４４がローダーシャーシ４１に取り付けられるとき、弾性ばね部４１３１が弾性変形した状態で駆動モータ４４が側壁４１１の内側に嵌め込まれた後、爪部４１３２が駆動モータ４４の凹部４４６ａを係止する。
【００４２】
また、取り付け部４１３の爪部４１３２が駆動モータ４４の凹部４４６ａを係止するとき、図８に示すように、後面ｂの略法線方向において、駆動モータ４４の後面ｂに対する各取り付け部４１３の高さｔ１は、駆動モータ４４の後面ｂに対する軸受凸部４４５の高さｔ２以下である（ｔ１≦ｔ２）。言い換えると、後面ｂの略法線方向において、各取り付け部４１３の爪部４１３２の上面の位置は、軸受凸部４４５の上面の位置よりも後面ｂ側となる。
【００４３】
こうすれば、取り付け部４１３が駆動モータ４４の凹部４４６ａを係止するためのさらなる隙間を駆動モータ４４の後面ｂ側に確保する必要がない。そのため、取り付け部４１３の爪部４１３２が凹部４４６ａを係止しても、ディスク装置Ａのディスクローダーユニット４の内部で、駆動モータ４４がローダーシャーシ４１に取り付けられる部分が占める空間をより広くする必要がない。従って、ディスクローダーユニット４及びディスク装置Ａの薄型化に貢献することができる。なお、取り付け部４１３の高さ（爪部４１３２の上面の位置）ｔ１は、軸受凸部４４５の高さｔ２に限らず、駆動モータ４４の後面ｂにおいてその略法線方向に最も突出する部分又は部材の高さ以下となっていればよい。
＜第２実施形態＞
【００４４】
次に、第２実施形態に係る駆動モータ４４及びその取り付け構造について詳細に説明する。なお、第１実施形態と同様の部材や構成には、同じ符号を用い、その説明を省略する。
【００４５】
図９は、第２実施形態に係る駆動モータの前面側を示す斜視図である。図１０は、第２実施形態に係るローダーシャーシの一部を示す部分斜視図である。なお、図１０では、ローダーシャーシ４１のうち、駆動モータ４４が取り付けられる部分近傍の一部構造のみが描画されている。
【００４６】
第２実施形態では、図９に示すように、モータ本体４４１の側面ｃにリブ５０が形成される。また、図１０に示すように、側壁４１１の内側には、駆動モータ４４が挿通される方向に溝６０が形成される。ローダーシャーシ４１の側壁４１１に駆動モータ４４が嵌め込まれるとき、各溝６０にはモータ本体４４１のリブ５０が挿通される。これ以外は第１実施形態と同様である。
【００４７】
このようにすると、ローダーシャーシ４１に取り付けられた駆動モータ４４のローダーシャーシ４１に対する回動をより確実に防ぐことができる。また、駆動モータ４４の回動方向の取り付け位置が決定し易くなるので、ローダーシャーシ４１に駆動モータ４４をより容易に取り付けることができる。
【００４８】
なお、モータ本体４４１のリブ５０の数、及び側壁４１１の内側の溝６０の数は、特に限定されない。それぞれの数は、１つであってもよいし、複数であってもよい。また、図９及び図１０の構成とは逆に、モータ本体４４１の側面ｃに溝６０が形成され、且つこの溝６０に挿通されるリブ５０が側壁４１１の内側に形成されてもよい。
【００４９】
また、第２実施形態において、リブ５０に代えて、凸片５１が形成されてもよい。図１１は、第２実施形態の変形例に係る駆動モータの前面ａ側を示す斜視図である。図１１に示すように、モータ本体４４１の側面ｃには凸片５１が形成される。ローダーシャーシ４１の側壁４１１に駆動モータ４４が嵌め込まれるとき、この凸片５１は側壁４１１の内側の溝６０に挿通される。これ以外は第２実施形態と同様である。このようにしても、第２実施形態と同様に、ローダーシャーシ４１に対する駆動モータ４４の回動をより確実に防ぐことができる。また、駆動モータ４４の回動方向の取り付け位置が決定し易くなるので、ローダーシャーシ４１に駆動モータ４４をより容易に取り付けることができる。
【００５０】
さらに、第２実施形態の変形例において、溝６０の形状を略Ｌ字形状としてもよい。図１２は、第２実施形態の他の変形例に係るローダーシャーシの一部を示す部分斜視図である。なお、図１２では、ローダーシャーシ４１のうち、駆動モータ４４が取り付けられる部分近傍の一部構造のみが描画されている。図１２に示すように、側壁４１１の内側には、略Ｌ字形状の溝６０が形成される。この溝６０は、駆動モータ４４が挿通される方向に形成される第１溝６０１と、駆動モータ４４が挿通される方向と略垂直な方向に形成される第２溝６０２と、を含んで構成される。これ以外は第２実施形態の変形例と同様である。
【００５１】
第２実施形態の他の変形例では、ローダーシャーシ４１の側壁４１１に駆動モータ４４が嵌め込まれるとき、モータ本体４４１の凸片５１が第１溝６０１に挿通される。その後、駆動モータ４４が底部４１２と平行な面内で回動されることにより、凸片５１が第２溝６０２の先端に移動する。こうすれば、駆動モータ４４が側壁４１１に嵌め込まれる方向において、凸片５１が第２溝６０２に係止される。従って、第２実施形態と同様の効果が得られるばかりでなく、凸片５１と第２溝６０２との係止機構によっても、駆動モータ４４をローダーシャーシ４１に保持することができる。
【００５２】
なお、第２実施形態の各変形例において、モータ本体４４１の凸片５１の数、及び側壁４１１の内側の溝６０の数は特に限定されない。それぞれの数は、１つであってもよいし、複数であってもよい。また、図１１及び図１２の構成とは逆に、モータ本体４４１の側面ｃに溝６０が形成され、且つこの溝６０に挿通される凸片５１が側壁４１１の内側に形成されてもよい。
＜第３実施形態＞
【００５３】
次に、第３実施形態に係る駆動モータ４４の取り付け構造について詳細に説明する。なお、第１実施形態や第２実施形態と同様の部材や構成には、同じ符号を用い、その説明を省略する。
【００５４】
図１３は、第３実施形態に係るローダーシャーシの一部を示す部分斜視図である。なお、図１３では、ローダーシャーシ４１のうち、駆動モータ４４が取り付けられる部分近傍の一部構造のみが描画されている。図１４は、第３実施形態に係る駆動モータの取り付け構造を示す上面図である。図１５は、第３実施形態に係る駆動モータの取り付け構造を示す断面図である。なお、図１５は、図１４における一点鎖線Ｙ−Ｙに沿う断面を示す。
【００５５】
第３実施形態では、図１３に示すように、取り付け部４１３が、第１帯部４１３３と、係止帯部４１３４と、第２帯部４１３５と、第１係合部４１３６とを、含んで構成される。さらに、側壁４１１の外面には、後述の第１係合部４１３６と係合する第２係合部４１１１が形成される。これら以外は第１実施形態又は第２実施形態と同様である。
【００５６】
第１帯部４１３３は側壁４１１から延設される。第１帯部４１３３の先端には、少なくとも駆動モータ４４の凹部４４６ａを係止するための係止帯部４１３４が、屈曲可能に接続されている。係止帯部４１３４には略円形の中央開口４１３４ａが形成される。この中央開口４１３４ａの直径は、駆動モータ４４の後面ｂの軸受凸部４４５の直径以上である。また、係止帯部４１３４の先端には第２帯部４１３５が屈曲可能に接続されている。第２帯部４１３５の先端には、第１係合部４１３６が設けられている。駆動モータ４４がローダーシャーシ４１に取り付けられるとき、第１係合部４１３６が側壁４１１の第２係合部４１１１に係止される。また、係止帯部４１３４の中央開口４１３４ａには、駆動モータ４４の軸受凸部４４５が挿通される。係止帯部４１３４は、駆動モータ４４の各凹部４４６ａのうちの対向する１対の凹部４４６ａを係止する。さらに、係止帯部４１３４は、駆動モータ４４の後面ｂにおいて軸受凸部４４５の周囲の領域を押える。従って、駆動モータ４４はローダーシャーシ４１の側壁４１１の内側に収容されて保持される。
【００５７】
また、取り付け部４１３の係止帯部４１３４が駆動モータ４４の後面ｂや一対の凹部４４６ａを係止するとき、図１５に示すように、後面ｂの略法線方向において、駆動モータ４４の後面ｂに対する各取り付け部４１３の高さｔ３は、駆動モータ４４の後面ｂに対する軸受凸部４４５の高さｔ２以下である（ｔ３≦ｔ２）。言い換えると、後面ｂの略法線方向において、取り付け部４１３の第１帯部４１３３の上面及び係止帯部４１３４の上面の位置は、軸受凸部４４５の上面の位置よりも後面ｂ側となる。
【００５８】
こうすれば、取り付け部４１３が駆動モータ４４の後面ｂや一対の凹部４４６ａを係止するためのさらなる隙間を駆動モータ４４の後面ｂ側に確保する必要がない。従って、駆動モータ４４が取り付けられるローダーシャーシ４１をより薄型化することができる。なお、取り付け部４１３の高さ（第１帯部４１３３の上面及び係止帯部４１３４の上面の位置）ｔ３は、軸受凸部４４５の高さｔ２に限らず、駆動モータ４４の後面ｂにおいてその略法線方向に最も突出する部分又は部材の高さ以下となっていればよい。
【００５９】
また、取り付け部４１３の第１係合部と、側壁４１１の第２係合部４１１１との係止機構は特に限定されない。たとえば、第１係合部４１３６が爪部で形成され、第２係止部が爪部により係止される穴や段差などで形成されてもよい。あるいは、マジックテープ（登録商標）などの面ファスナーを用いて、第１係合部４１３６と第２係合部４１１１との係止機構を実現してもよい。
【００６０】
また、取り付け部４１３は、側壁４１１と一体に形成されてもよいし、一体に形成されなくてもよい。また、取り付け部４１３において、第１帯部４１３３、係止帯部４１３４、第２帯部４１３５、及び第１係合部４１３６は、たとえば樹脂材料を用いて一体に形成されていてもよいし、一体に形成されていなくてもよい。或いは、第１帯部４１３３、係止帯部４１３４、及び第２帯部４１３５はそれぞれ、所定の剛性を有する板状の部材であってもよいし、たとえば布などを用いた可撓性を有する部材であってもよい。
【００６１】
また、第２帯部４１３５及び第１係合部４１３６は複数であってもよい。その場合、側壁４１１の外側には各第１係合部４１３６と係合する複数の第２係合部４１１１が設けられる。こうすれば、対向する１対の凹部４４６ａ以外の凹部４４６ａも係止帯部４１３４により係止することができるので、駆動モータ４４をローダーシャーシ４１に安定して保持することができる。
【００６２】
以上、本発明について実施形態をもとに説明した。この実施形態は例示であり、その各構成要素や各処理の組み合わせに色々な変形例が可能であり、本発明の範囲にあることは当業者に理解されるところである。
【符号の説明】
【００６３】
Ａ      ディスク装置
Ｂ      ディスク記憶媒体
１      ディスクローダーユニット
２        ディスクトレイ
２１        ガイド溝
２２        トレイラック
３        トラバースユニット
３１        トラバースシャーシ
３２        光ヘッド
３３        駆動力伝達歯車機構
４        ローダーシャーシユニット
４１        ローダーシャーシ（本体シャーシ）
４１１          側壁
４１１１          第２係合部
４１２          底部
４１２ａ          開口
４１２ｂ        突起部
４１３        取り付け部
４１３１        弾性ばね部
４１３２        爪部
４１３３        第１帯部
４１３４        係止帯部
４１３４ａ          中央開口
４１３５        第２帯部
４１３６        第１係合部
４２        ギアトレイ
４３        カムスライダー
４４        駆動モータ
４４１        モータ本体
４４２        回転軸部
４４３        首部
４４４        穴部
４４５        軸受凸部（凸部）
４４６        突出縁部
４４６ａ        凹部
５０        リブ
５１        凸片
６０        溝
６０１        第１溝
６０２        第２溝
ａ            前面
ｂ            後面
ｃ            側面
【図１】
2014044779.tif 000003
【図２】
2014044779.tif 000004
【図３】
2014044779.tif 000005
【図４】
2014044779.tif 000006
【図５】
2014044779.tif 000007
【図６】
2014044779.tif 000008
【図７】
2014044779.tif 000009
【図８】
2014044779.tif 000010
【図９】
2014044779.tif 000011
【図１０】
2014044779.tif 000012
【図１１】
2014044779.tif 000013
【図１２】
2014044779.tif 000014
【図１３】
2014044779.tif 000015
【図１４】
2014044779.tif 000016
【図１５】
2014044779.tif 000017